(57)【要約】【課題】簡単な構造で製造が容易であり、製造コストも安く、かつ、施工作業性がよく、さらに、大引材に対して上下左右方向に十分な支持強度を得ることができる床構造及び該床構造に使用する大引材支持部材を提供すること。【解決手段】本発明に係る床構造は、棒状大引材と、床板とから成る床構造であって、前記各大引材の両端部近くを、部屋の床スラブ上で下方から支持する高さ調整可能な大引材支持部材を有し、前記大引材支持部材が、前記大引材を上方から嵌め込み可能な凹部と、前記凹部の両側辺から外方に向けて伸びる一対のフランジ部とを備えた鋼板製本体と、前記各フランジ部に高さ調整可能に螺合されるボルト部を備えた一対の脚体とから成り、前記各脚体が、前記ボルト部を支持する弾性の台座を備え、前記前記一対の脚体で、凹部に大引材が嵌め込まれた鋼板製本体を、床スラブから離間させて緩衝支持することを特徴とする。【選択図】図１
2019173285.tif 000002
【特許請求の範囲】
【請求項１】
部屋の対向する壁際同士間に、所定の間隔をおいて並列に複数配置される棒状大引材と、
これら大引材の上面に敷設される複数枚の床板と
から成る床構造であって、
前記各大引材の両端部近くを、部屋の床スラブ上で下方から支持する高さ調整可能な大引材支持部材を有し、
前記大引材支持部材が、
前記大引材を上方から嵌め込み可能な凹部と、前記凹部の両側辺から外方に向けて伸びる一対のフランジ部とを備えた鋼板製本体と、
前記各フランジ部に高さ調整可能に螺合されるボルト部を備えた一対の脚体と
から成り、
前記各脚体が、前記ボルト部を支持する弾性の台座を備え、前記前記一対の脚体で、凹部に大引材が嵌め込まれた鋼板製本体を、床スラブから離間させて緩衝支持することを特徴とする床構造。
【請求項２】
前記大引材が、断面矩形の角型鋼から成る
ことを特徴とする請求項１に記載の床構造。
【請求項３】
少なくとも一本置きに大引材の中間部を前記大引材支持部材により床スラブ上で下方から支持するように構成した
ことを特徴とする請求項１又は２に記載の床構造。
【請求項４】
部屋の対向する壁際同士間に、所定の間隔をおいて並列に複数配置される棒状大引材と、これら大引材の上面に敷設される複数枚の床板とを備え、前記各大引材を、部屋の床スラブ上で下方から高さ調整可能に支持する床構造において用いられる大引材支持部材であって、
該大引材支持部材が、
前記大引材を上方から嵌め込み可能な凹部と、前記凹部の両側辺から外方に向けて伸びる一対のフランジ部とを備えた鋼板製本体と、
前記各フランジ部に高さ調整可能に螺合されるボルト部を備えた一対の脚体と
から成り、
前記各脚体が、前記ボルト部を支持する弾性の台座を備え、
前記前記一対の脚体で、凹部に大引材が嵌め込まれた鋼板製本体を、床スラブから離間させて緩衝支持することができるように構成されている
ことを特徴とする大引材支持部材。
【発明の詳細な説明】
【技術分野】
【０００１】
本発明は、建物の床構造及び該床構造において使用される大引材支持部材に関する。
【背景技術】
【０００２】
複数の階層を持つ集合住宅等では、コンクリート等の躯体に各階の床スラブが形成され、床スラブの上に大引材や床板等から成る床構造体が設けられるところ、床板に加わる振動が、床構造を介して床スラブや壁に伝わり、階下の部屋又は隣接部屋等に振動騒音となって伝播するという問題があった。
特許文献１には、大引材の両端を、弾性体を介して躯体壁に支持すると共に、各大引材の中間部と床スラブとの間に、大引材の上下振動を抑制する制動装置を設けて成る床構造が開示されている。この床構造によれば、大引材が床スラブから離れているため床構造で生じる振動が床スラブに伝わることが無くなり、かつ、前記制動装置により大引材の上下振動が抑制されると共に、さらに、弾性体を介して躯体壁に大引材を支持することにより床構造で生じる振動を躯体壁に分散伝播させることが可能になる。
しかし、この特許文献１に開示された床構造は、大引材を、その両端で躯体壁に支持しているため、大引材が部屋の躯体壁から躯体壁までの長さを必要とし、その結果、大引材の剛性が高くないと、床板に加えられる荷重に対する大引材の沈み込み量が大きくなり、結果として歩行感や家具の設置安定性が悪くなるという課題があった。また、大引材に剛性を持たせようとすると、大引材そのものの重量が増えるため、大引材の自重による沈み込み量が大きくなり、かつ、躯体への重量負荷も大きくなり、その結果、運搬性や施工作業性が悪くなるという課題があった。
出願人は、上記した従来の床構造に対する課題に鑑みて、大引材の剛性を極端に上げることなく、床板に加えられる荷重に対する十分な剛性を確保できると共に、躯体壁や床スラブに対する振動伝播を低減することができる床構造を開発し、それを特許出願した（特許文献２）。
【先行技術文献】
【特許文献】
【０００３】
【特許文献１】特開2013-130044号公報
【特許文献２】特許第5043461号公報
【発明の概要】
【発明が解決しようとする課題】
【０００４】
特許文献２に記載の床構造は、床スラブ上で下方から大引材を緩衝支持することができる大引材支持部材を用いて大引材の両端部を支持し、かつ、補強支持脚を用いて大引材の中間部を床スラブ上で下方から緩衝支持しているので、大引材の剛性を極端に上げることなく、床板に加えられる荷重に対する十分な剛性を確保することが可能になり、結果として軽量の大引材を使用することができ、運搬性及び施工作業性を向上させることが可能になる。
しかし、図６に示すように、特許文献２に記載の床構造においては、その大引材支持部材が、台座２０から鉛直上方に伸びる一本のボルト部２１と、前記ボルト部２１の上部に高さ調整ができるように螺合可能に構成され、かつ、大引材２５を載置するための弾性部分を備えた受け具２２と、受け具２２に載置された大引材２５を受け具２２に固定するための一対の金具片２３，２３とで構成されるところ、大引材２５を載置固定する受け具２２が一本のボルト部２１で支持される構成であるため、独立安定性が悪く、設置をする時に倒れ易いという問題があった。また、特許文献２に記載の床構造では、前記補助支持脚にも同じ問題が内在していた。このため、当該床構造には、施工作業性の側面から、さらに改良する余地があった。さらにまた、この従来の床構造では、大引材支持部材の構造が複雑であるだけでなく、補助支持脚と大引材支持部材の構造が異なるため、これらの製造コストが高くなるという問題もあった。
本発明は、上記した従来の問題点を解決し、簡単な構造で製造が容易であり、製造コストも安く、かつ、施工作業性がよく、さらに、大引材に対して上下左右方向に十分な支持強度を得ることができる床構造及び該床構造に使用する大引材支持部材を提供することを目的としている。
【課題を解決するための手段】
【０００５】
上記した目的を達成するために、本発明に係る床構造は、部屋の対向する壁際同士間に、所定の間隔をおいて並列に複数配置される棒状大引材と、これら大引材の上面に敷設される複数枚の床板とから成る床構造であって、前記各大引材の両端部近くを、部屋の床スラブ上で下方から支持する高さ調整可能な大引材支持部材を有し、前記大引材支持部材が、前記大引材を上方から嵌め込み可能な凹部と、前記凹部の両側辺から外方に向けて伸びる一対のフランジ部とを備えた鋼板製本体と、前記各フランジ部に高さ調整可能に螺合されるボルト部を備えた一対の脚体とから成り、前記各脚体が、前記ボルト部を支持する弾性の台座を備え、前記前記一対の脚体で、凹部に大引材が嵌め込まれた鋼板製本体を、床スラブから離間させて緩衝支持することを特徴とする。
前記大引材は、断面矩形の筒状鋼材で構成され得る。
少なくとも一本置きに大引材の中間部を前記大引材支持部材により床スラブ上で下方から支持するように構成してもよい。
また、本発明に係る床構造において使用される大引材支持部材は、部屋の対向する壁際同士間に、所定の間隔をおいて並列に複数配置される棒状大引材と、これら大引材の上面に敷設される複数枚の床板とを備え、前記各大引材を、部屋の床スラブ上で下方から高さ調整可能に支持する床構造において用いられる大引材支持部材であって、該大引材支持部材が、前記大引材を上方から嵌め込み可能な凹部と、前記凹部の両側辺から外方に向けて伸びる一対のフランジ部とを備えた鋼板製本体と、前記各フランジ部に高さ調整可能に螺合されるボルト部を備えた一対の脚体とから成り、前記各脚体が、前記ボルト部を支持する弾性の台座を備え、前記前記一対の脚体で、凹部に大引材が嵌め込まれた鋼板製本体を、床スラブから離間させて緩衝支持することができるように構成されている。
【発明の効果】
【０００６】
本発明に係る床構造は、部屋の対向する壁際同士間に、所定の間隔をおいて並列に複数配置される棒状大引材と、これら大引材の上面に敷設される複数枚の床板とから成る床構造であって、前記各大引材の両端部近くを、部屋の床スラブ上で下方から支持する高さ調整可能な大引材支持部材を有し、前記大引材支持部材が、前記大引材を上方から嵌め込み可能な凹部と、前記凹部の両側辺から外方に向けて伸びる一対のフランジ部とを備えた鋼板製本体と、前記各フランジ部に高さ調整可能に螺合されるボルト部を備えた一対の脚体とから成り、前記各脚体が、前記ボルト部を支持する弾性の台座を備え、前記前記一対の脚体で、凹部に大引材が嵌め込まれた鋼板製本体を、床スラブから離間させて緩衝支持するように構成されているので、二本の脚体で大引材を挟んで床スラブ上で下方から支持することができる。このように構成することで各大引材支持部材の独立安定性が向上し、施工作業性が極めて向上する。
また、大引材を上方から凹部に嵌め込むだけでよいので、この点においても施工作業性が極めて向上する。さらに、大引材支持部材の構成部品が鋼板製本体と一対の脚体だけになるので、部品点数が多かった従来の支持部材に比べて大引材支持部材そのものの製造が容易になり、製造コストも下がる。
さらにまた、大引材を床スラブ上で下方から支持するように構成することにより、大引材を部屋の壁から離して設置することができ、これにより、床板に加えられる振動が壁に伝播することを無くすことができる。
さらに、各支持部材において一本ではなく、二本の脚体で弾性の台座を介して大引部材を支持することにより、床スラブ上に伝わる振動を分散することが可能になり、弾性の台座を介して支持することも相俟って、床スラブ上に伝わる振動を低減させることが可能になり、遮音性能が向上する。
さらにまた、凹部に大引材を嵌め込み、それを二本の脚体で挟んで支持することにより、従来の大引材支持部材に比べると左右の振動に対する強度を向上させることができる。
例えば、凹部の内面に防音シート等を設けることで、基礎面に対する振動伝播をさらに低減することも可能になる。
本発明に係る床構造に使用される大引材支持部材は、部屋の対向する壁際同士間に、所定の間隔をおいて並列に複数配置される棒状大引材と、これら大引材の上面に敷設される複数枚の床板とを備え、前記各大引材を、部屋の床スラブ上で下方から高さ調整可能に支持する床構造において用いられる大引材支持部材であって、該大引材支持部材が、前記大引材を上方から嵌め込み可能な凹部と、前記凹部の両側辺から外方に向けて伸びる一対のフランジ部とを備えた鋼板製本体と、前記各フランジ部に高さ調整可能に螺合されるボルト部を備えた一対の脚体とから成り、前記各脚体が、前記ボルト部を支持する弾性の台座を備え、前記前記一対の脚体で、凹部に大引材が嵌め込まれた鋼板製本体を、床スラブから離間させて緩衝支持することができるように構成されているので、大引材の施工が容易になり、かつ、床板に加わる振動を壁及び床スラブに伝播させることを防止することができる床構造を構築することができ、さらに、大引材を安定性よく支持することが可能になり、さらに、大引支持部材そのものの製造コストを下げることができる。
【図面の簡単な説明】
【０００７】
【図１】本発明に係る大引材支持部材の一実施例の概略側面図である。
【図２】図１に示した大引材支持部材の概略上面図である。
【図３】本発明に係る床構造の一実施例の概略上面図である（床板は一部省略されている。）
【図４】図３における大引材の端部の拡大図である。
【図５】図３におけるＡ−Ａ断面図である。
【図６】従来の大引材支持部材の概略側面図である。
【発明を実施するための形態】
【０００８】
以下、添付図面に示した一実施例を参照して、本発明に係る床構造及び床構造において使用される大引材支持部材の実施の形態を説明していく。
【０００９】
図１は、本発明に係る床構造において使用される大引材支持部材の一実施例の概略側面図であり、図２は、前記大引材支持部材の概略上面図である。
図面に示すように、この大引材支持部材１は鋼板製本体２を有し、該鋼板製本体２は、大引材１０を上方から嵌め込み可能な凹部２ａと、凹部２ａの両側辺から外方に向けて伸びる一対のフランジ部２ｂとが形成されるように曲げ加工されている。
一対のフランジ部２ｂには、各々、内面に雌ネジが形成された貫通孔２ｃが形成されている。
前記大引材支持部材１は、さらに、一対の脚体３を備える。各脚体３は、前記鋼板製本体２の各フランジ部２ｂに形成された貫通孔２ｃに螺合可能なボルト部３ａと、ボルト部３ａを支持する弾性材料から成る台座３ｂとから成る。
各脚体３は、そのボルト部３ａが、鋼板製本体２のフランジ部２ｂの貫通孔２ｃに螺合され、鋼板製本体２を、その凹部２ａを挟んで左右で支持するように構成されている。脚体３を回転させることでフランジ部２ｂに対するボルト部３ａの位置を変えて、鋼板製本体２を支持する高さを調整することができる。
前記したように構成された大引材支持部材１は、脚体３のボルト部３ａを鋼板製本体２の貫通孔２ｃに螺合させ、鋼板製本体２が床スラブ１１から離間するように脚体３の位置を調整した後、鋼板製本体２の凹部２ａに大引材１０を上方から嵌め込むことで、大引材１０を床スラブ１１から離間した状態で下方から支持する。
これにより、大引材１０は、鋼板製本体２を介して、その短手方向両側で一対の脚体３によって支持されることになり、横方向の揺れに対する安定度が向上する。
また、上記したように、大引材支持部材１は、一対の脚体３によって、大引材１０が嵌め込まれる凹部２ａを左右から挟むように支持するように構成されているので、大引材支持部材１そのものの独立安定性が高く、施工時に大引材支持部材１が倒れることがない。このため施工作業性が極めて良好である。
また、大引材支持部材１は、鋼板製本体２及び一対の脚体３のみから成るため部品数が少なく、製造が容易であり、かつ、製造コストも安価である。
さらに、該大引材支持部材１は、鋼板製本体２の凹部２ａに上方から大引材１０を嵌め込むだけで、大引材１０を支持することができるので、施工が極めて容易である。このため、例えば、該大引材支持部材１を大引材１０の中間部を支持する補強支持部材として利用しても、施工作業が煩雑になることがない。
さらにまた、該大引材支持部材１は、床スラブ１１上で大引材１０を下方から支持するように構成されているので、例えば、二つの大引材支持部材１で大引材１０の両端部を支持する場合であっても、躯体壁１２で支持する場合に比べると、大引材支持部材１間の間隔を短くすることができる。このため、床板にかかる上方からの荷重に対する大引材１０の沈み込みが、躯体壁１２で支持する場合に比べて小さくなり、その結果、極端に剛性の高い大引材を使用する必要がなくなり、軽量な大引材１０を使用することが可能になる。
さらに、該大引材支持部材１を、大引材１０を下方から支持するように構成することで、大引材１０を壁１２面に接触させる必要がなくなり、大引材１０の両端部を壁１２面から僅かに離すことができるようになる。これにより、躯体壁１２で支持する構成に比べて大引材１０の長さを短くすることが可能になるので、この点から見ても、上方からの荷重に対する大引材１０の沈み込み量を小さくすることが可能になる。
さらに、大引材１０を躯体壁１２から離すことによって、大引材１０から躯体壁１２に振動が伝わることがなくなる。さらに、該大引材支持部材１は、二つの脚体３で大引材１０を支持するため、床板から大引材１０を介して床スラブ１１に伝わる振動を分散させることが可能になり、かつ、脚体３の台座３ｂが弾性部材で構成されていることも相俟って、床スラブ１１に伝播される振動騒音を効果的に低減することが可能になる。
この実施例には、記載していないが、例えば、鋼板製本体２の凹部２ａの内面の一部又は全面にゴム板等の弾性部材層を設けることにより、大引材１０から大引材支持部材１を介して床スラブ１１に伝播する振動をさらに低減させることが可能になる。
【００１０】
次に、上記したように構成された大引材支持部材１を用いた床構造について説明していく。
図３は、本発明に係る床構造の一実施例の上面図を示している。
図面に示すように、躯体の床スラブ１１の上に複数の大引材１０が、部屋の短手方向の壁と並行に、一定の間隔で敷設されている。
この実施例では、各大引材１１は、断面が四角形の角型鋼であり、図４に示すように、その両端部が壁１２から少し離れる寸法にされ、かつ、前記大引材支持部材１によって、その両端部付近が床スラブ１１上で支持されている。
図５は、図３におけるＡ−Ａ断面図であり、図面に示すように、大引材１１は、大引材支持部材１における鋼板製本体２の凹部２ａに上方から嵌め込まれ、該鋼板製本体２の一対のフランジ部２ｂに螺合された一対の脚体３によって、床スラブ１１上で下方から支持されている。
また、図面に示すように、複数の大引材１１の長手方向中間付近には、一本おきに、補強用として前記大引材支持部材１が設けられている。
上記したように敷設された大引材１０の上方には、複数の床板１３が敷設される。床板１３は、図面に示すように、その短手方向の端部をずらして配置されている。
上記したように、大引材１０は、その両端部を壁１２に接触させる必要がないので、両端部を壁１２で支持する場合に比べて、その長さを短くすることができ、かつ、大引材１０を下方から支持しているので、大引材支持部材１を大引材の最端部に設ける必要がない。従って、大引材支持部材１間の間隔をより短くすることが可能になり、結果として、大引材１０の沈み込み量を小さくすることが可能になる。大引材支持部材１を設ける位置は図示実施例に限定されるものではなく、さらに内側寄り、即ち、端部から離れる側に設けることも可能である。
上記したように本実施例に係る床構造によれば、床板１３に加わる荷重による大引材１０の沈み込み量を小さくすることができるので、全ての大引材１０に補強用の大引材支持部材１を設ける必要がなくなり、結果として、全ての大引材に対して補強支持部材を設ける必要があった従来の床構造に比べて大引材支持部材の数を減らすことができ、施工が容易になり、かつ、コストを安価にすることが可能である。
さらにまた、大引材１０の両端部付近を支持する大引材支持部材１と、大引材の中央付近を支持する補強用の大引材支持部材１とを同一の構成にすることができるので、大引材支持部材そのものの製造コストも安価になる。
上記したように構成された床構造によれば、大引材が壁１２から離れているので、床板に加えられる振動が、壁１２に伝わることがない。さらに、各大引材１０を支持する大引材支持部材１が二本の脚体３で支持されているので、床板１３から大引材１０に伝わる振動を、床スラブ１１に対して分散させることができ、かつ、二本の脚体が各々弾性部材から成る台座を介して床スラブ１１と接触しているため、床スラブ１１に対して伝わる振動を最低限に低減させることが可能になる。これにより、床板１３に加えられる振動が壁１２及び床スラブ１１に伝搬することを防止し、優れた遮音性能を発揮することが可能になる。
【符号の説明】
【００１１】
１  大引材支持部材
２  鋼板製本体
２ａ  凹部
２ｂ  フランジ部
２ｃ  貫通孔
３  脚体
３ａ  ボルト部
３ｂ  台座
１０  大引材
１１  床スラブ
１２  壁
１３  床板
【図１】
2019173285.tif 000003
【図２】
2019173285.tif 000004
【図３】
2019173285.tif 000005
【図４】
2019173285.tif 000006
【図５】
2019173285.tif 000007
【図６】
2019173285.tif 000008